(57)【要約】【課題】運動時に脚部全体の筋肉の動きを適正化することが可能な股付き衣類を提供すること。【解決手段】股付き衣類Ｔは、着用者の腰部を囲繞するベルト部１０と、ベルト部１０の緊締力よりも強い緊締力を有する中強緊締部５０と、ベルト部１０の緊締力と略同等の緊締力を有する弱緊締部４０と、を備え、中強緊締部５０と弱緊締部４０とによって着用者の脚部の一部を覆い、中強緊締部５０は脚部の後面側に配置される一方で、弱緊締部４０は脚部の前面側に配置される。【選択図】図１
2015036457.tif 000002
【特許請求の範囲】
【請求項１】
着用者の臀部から脚部を覆う股付き衣類であって、
着用者の腰部を囲繞するように構成されてなるベルト部と、
前記ベルト部の緊締力よりも強い緊締力を有する中強緊締部と、
前記ベルト部の緊締力と略同等の緊締力を有する弱緊締部と、を備え、
前記中強緊締部と前記弱緊締部とによって少なくとも着用者の脚部の一部を覆うように構成され、
前記中強緊締部は脚部の後面側に配置される一方で、前記弱緊締部は脚部の前面側に配置されることを特徴とする股付き衣類。
【請求項２】
前記弱緊締部は、脚部の大腿部前面に対応する位置に配置される第１弱緊締部と、脚部の脛部前面に対応する位置に配置される第２弱緊締部と、を有し、
前記中強緊締部は、脚部の大腿部後面に対応する位置に配置される第１中強緊締部と、脚部の脛部後面に対応する位置に配置される第２中強緊締部と、を有することを特徴とする請求項１に記載の股付き衣類。
【請求項３】
着用者の膝部を囲繞するように構成されてなる膝緊締部を備え、
前記膝緊締部は、前記中強緊締部の緊締力よりも強い緊締力を有する第１膝緊締部と、前記弱緊締部の緊締力と略同等の緊締力を有する第２膝緊締部と、を有し、
前記第１膝緊締部は、前記第１弱緊締部と前記第２弱緊締部との間に配置される一方で、前記第２膝緊締部は、前記第１中強緊締部と前記第２中強緊締部との間に配置されてなることを特徴とする請求項２に記載の股付き衣類。
【請求項４】
前記第１膝緊締部は、膝の前面側においてＸ字状となるように設けられなることを特徴とする請求項３に記載の股付き衣類。
【請求項５】
着用者の臀部を覆うように構成され、前記ベルト部と前記中強緊締部及び前記弱緊締部との間に配置されてなる本体部を備え、
前記本体部は、前記中強緊締部の緊締力よりも強い緊締力を有する第１本体部と、前記弱緊締部の緊締力と略同等の緊締力を有する第２本体部と、を有し、
前記第１本体部が前記第２本体部を囲繞するように配置されてなることを特徴とする請求項１に記載の股付き衣類。
【請求項６】
前記第１本体部は、前記ベルト部の下端に沿って前面まで延伸してなることを特徴とする請求項５に記載の股付き衣類。
【請求項７】
前記第２本体部は、臀部略中央部分を覆う中央第２本体部と、腰部側部を覆う側方第２本体部と、を有し、
前記中央第２本体部と前記側方第２本体部との間に前記第１本体部の一部が配置されていることを特徴とする請求項５に記載の股付き衣類。
【請求項８】
前記側方第２本体部と前記第１弱緊締部との間に、前記第１本体部が延伸してなることを特徴とする請求項７に記載の股付き衣類。
【発明の詳細な説明】
【技術分野】
【０００１】
本発明は、着用者の臀部から脚部を覆う股付き衣類に関する。
【背景技術】
【０００２】
スパッツ、タイツ、レギンスといった股付き衣類には、各部の緊締力に差を設け、膝関節をサポートする機能を持つものが知られている（例えば、下記特許文献１参照）。同様に緊締力に差を設けた股付き衣類として、Ｏ脚やＸ脚を調整・矯正するものも知られている（例えば、下記特許文献２参照）。また、緊締力に差を設け、体幹の回旋や、両脚の回旋・外転・内転といった三次元的な動作を伴う各種の運動におけるパフォーマンス向上に資するものも知られている（例えば、下記特許文献３参照）。
【先行技術文献】
【特許文献】
【０００３】
【特許文献１】特開２００６-２７４５１０号公報
【特許文献２】特開２０１１-２０２３２３号公報
【特許文献３】国際公開第２００９／０３４６２１号パンフレット
【発明の概要】
【発明が解決しようとする課題】
【０００４】
上記特許文献１に記載の股付き衣類は、膝関節の動きをサポートするものであり、脚部全体の筋肉をサポートするものではない。また、上記特許文献２に記載の股付き衣類は、脚部の調整・矯正に効果を発するものであって、やはり脚部全体の筋肉をサポートするものではない。また、上記特許文献３に記載の股付き衣類は、体幹の回旋といった動作を伴う運動におけるパフォーマンス向上に効果を発するものであって、やはり脚部全体の筋肉をサポートするものではない。
【０００５】
本発明者は、特に激しい動きを伴う運動時に脚部全体の筋肉の動きを適正化することが、着用者の筋肉疲労を低減し、スポーツ障害の低減に繋がるものと考えた。本発明はこのような着想に基づいてなされたものであり、その目的は、運動時に脚部全体の筋肉の動きを適正化することが可能な股付き衣類を提供することにある。
【課題を解決するための手段】
【０００６】
激しい動きを伴う運動時における筋肉の動きの適正化とは、筋肉の横ブレを抑制し、筋肉が縦に動くことであると本発明者は考えた。本発明者は、筋肉の動きを縦にすることで、怪我や疲労が低減されることを見出した。本発明はこのような検討及び知見に基づいてなされたものである。
【０００７】
上記課題を解決するために本発明に係る股付き衣類は、着用者の臀部から脚部を覆う股付き衣類であって、着用者の腰部を囲繞するように構成されてなるベルト部と、ベルト部の緊締力よりも強い緊締力を有する中強緊締部と、ベルト部の緊締力と略同等の緊締力を有する弱緊締部と、を備え、中強緊締部と弱緊締部とによって少なくとも着用者の脚部の一部を覆うように構成され、中強緊締部は脚部の後面側に配置される一方で、弱緊締部は脚部の前面側に配置される。
【０００８】
人間の脚の筋肉は、前面側が固く後面側が柔らかいものである。もし、緊締力を同じくして脚の前面側及び後面側を覆うと、後面側における着圧が前面側における着圧よりも弱くなってしまう。このように着圧に前後差があると、運動時における筋肉の動きが横ブレになってしまう。運動時における筋肉の動きを縦方向にするためには、着圧の前後差がなくなるような股付き衣類が好適である。そこで本発明では、基準となる緊締力でベルト部を構成すると共に、硬い筋肉によって構成される脚部の前側に対応する部分には弱緊締部を配置し、柔らかい筋肉によって構成される脚部の後ろ側に対応する部分には中強緊締部を配置している。このように構成することで、脚部の前後における着圧を均等化することができ、腹部に過剰な緊締力をかけず快適に着用できる股付き衣類を提供することができる。
【０００９】
また本発明に係る股付き衣類では、弱緊締部は、脚部の大腿部前面に対応する位置に配置される第１弱緊締部と、脚部の脛部前面に対応する位置に配置される第２弱緊締部と、を有し、中強緊締部は、脚部の大腿部後面に対応する位置に配置される第１中強緊締部と、脚部の脛部後面に対応する位置に配置される第２中強緊締部と、を有することも好ましい。
【００１０】
この好ましい態様では、弱緊締部を、大腿部前面に対応する位置に配置される第１弱緊締部と、脚部の脛部前面に対応する位置に配置される第２弱緊締部とに分けて構成することで、脚の各部前面に確実に適切な着圧を付与することができる。また、中強緊締部を、脚部の大腿部後面に対応する位置に配置される第１中強緊締部と、脚部の脛部後面に対応する位置に配置される第２中強緊締部とに分けて構成することで、脚の各部後面に確実に適切な着圧を付与することができる。
【００１１】
また本発明に係る股付き衣類では、着用者の膝部を囲繞するように構成されてなる膝緊締部を備え、膝緊締部は、中強緊締部の緊締力よりも強い緊締力を有する第１膝緊締部と、弱緊締部の緊締力と略同等の緊締力を有する第２膝緊締部と、を有し、第１膝緊締部は、第１弱緊締部と第２弱緊締部との間に配置される一方で、第２膝緊締部は、第１中強緊締部と第２中強緊締部との間に配置されてなることも好ましい。
【００１２】
この好ましい態様では、強い緊締力の第1膝緊締部を膝の前面側に配置し、比較的弱い緊締力の第２緊締部を後面側に配置することで、膝の曲げ伸ばしを阻害せずに、保護すべき膝の前面に着圧を付与することができる。
【００１３】
また本発明に係る股付き衣類では、第１膝緊締部は、膝の前面側においてＸ字状となるように設けられなることも好ましい。
【００１４】
この好ましい態様では、第１膝緊締部を膝の前面側においてＸ字状となるように設けることで、膝の曲げ伸ばし易さはそのままに、保護すべき膝の前面に確実に着圧を付与することができる。
【００１５】
また本発明に係る股付き衣類では、着用者の臀部を覆うように構成され、ベルト部と中強緊締部及び弱緊締部との間に配置されてなる本体部を備え、本体部は、中強緊締部の緊締力よりも強い緊締力を有する第１本体部と、弱緊締部の緊締力と略同等の緊締力を有する第２本体部と、を有し、第１本体部が第２本体部を囲繞するように配置されてなることも好ましい。
【００１６】
この好ましい態様では、中強緊締部の緊締力よりも強い緊締力を有する第１本体部を臀部に当接可能なように配置することができ、より柔らかい筋肉で構成される臀部に強い着圧を付与することができる。臀部には周囲から中央に向かうように緊締力を付与すれば足りるので、弱緊締部の緊締力と略同等の緊締力を有する第２本体部を臀部の中央側に配置し、その第２本体部を囲繞するように第１本体部を配置することで、無用に緊締力を付与することなく脚部の円滑な動作を確保することができる。
【００１７】
また本発明に係る股付き衣類では、第１本体部は、ベルト部の下端に沿って前面まで延伸してなることも好ましい。
【００１８】
緊締力の比較的強い第１本体部が、ベルト部の下端に沿って前面まで延伸しているので、腹部に近い腰部にはベルト部を当てることで無用な着圧を付与せず、骨が張り出した腰部には第１本体部を当てることでこの股付き衣類を確実に保持することができる。
【００１９】
また本発明に係る股付き衣類では、第２本体部は、臀部略中央部分を覆う中央第２本体部と、腰部側部を覆う側方第２本体部と、を有し、中央第２本体部と側方第２本体部との間に第１本体部の一部が配置されていることも好ましい。
【００２０】
この好ましい態様では、緊締力の比較的弱い中央第２本体部と側方第２本体部とを形成し、臀部略中央部分に中央第２本体部を配置し、腰部側部に側方第２本体部を配置することで、強い着圧をかける必要のない部分への着圧の付与を低減することができる。また、中央第２本体部と側方第２本体部との間に、比較的緊締力の強い第１本体部の一部を配置することで、臀部の周縁部に確実に着圧を付与することができる。
【００２１】
また本発明に係る股付き衣類では、側方第２本体部と第１弱緊締部との間に、第１本体部が延伸してなることも好ましい。
【００２２】
この好ましい態様では、側方第２本体部と第１弱緊締部との間に十分な着圧を付与することで、股付き衣類を確実に保持することができる。
【発明の効果】
【００２３】
本発明によれば、運動時に脚部全体の筋肉の動きを適正化することが可能な股付き衣類を提供することができる。
【図面の簡単な説明】
【００２４】
【図１】本発明の実施形態である股付き衣類を示す斜視図であって、着用者の前面側から見た斜視図である。
【図２】本発明の実施形態である股付き衣類を示す斜視図であって、着用者の後面側から見た斜視図である。
【図３】図１に示す股付き衣類の前面側を示す正面図である。
【図４】図１に示す股付き衣類の後面側を示す背面図である。
【図５】図１から図４に示す股付き衣類の着用効果を実証するために行った実験結果を示す表である。
【図６】図１から図４に示す股付き衣類の着用効果を実証するために行った実験結果を示す表である。
【図７】図１から図４に示す股付き衣類の着用効果を実証するために行った実験結果を示す表である。
【図８】図１から図４に示す股付き衣類の着用効果を実証するために行った実験結果を示す表である。
【図９】図１から図４に示す股付き衣類の着用効果を実証するために行った実験結果を示すグラフである。
【発明を実施するための形態】
【００２５】
以下、添付図面を参照しながら本発明の実施の形態について説明する。説明の理解を容易にするため、各図面において同一の構成要素に対しては可能な限り同一の符号を付して、重複する説明は省略する。
【００２６】
図１から図４を参照しながら、本発明の実施形態である股付き衣類について説明する。図１は、本発明の実施形態である股付き衣類Ｔを示す斜視図であって、着用者の前面側から見た斜視図である。図２は、本発明の実施形態である股付き衣類Ｔを示す斜視図であって、着用者の後面側から見た斜視図である。図３は、図１に示す股付き衣類Ｔの前面側を示す正面図である。図４は、図１に示す股付き衣類Ｔの後面側を示す背面図である。
【００２７】
股付き衣類Ｔは、着用者の臀部から脚部を覆うものであり、ベルト部１０と、第１本体部２０と、第２本体部３０と、弱緊締部４０と、中強緊締部５０と、膝緊締部６０と、足首緊締部７０とを備えている。
【００２８】
ベルト部１０は、着用者の腰部を囲繞するように構成されている。ベルト部１０の緊締力は弱く設定されている。ベルト部１０の緊締力は、着用者の腹部に過剰な着圧をかけない程度に設定されている。尚、本明細書において緊締力とは、当該部分が着用者に当接剃る部分を締め付ける力であり、当該部分の伸び難さと対応関係にあるものである。本明細書において着圧とは、当該部分が着用者に作用させる圧力のことであり、やはり当該部分の伸び難さと対応関係にあるものである。
【００２９】
第１本体部２０及び第２本体部３０は、着用者の臀部を覆うように構成され、ベルト部１０と中強緊締部５０及び弱緊締部４０との間に配置されており、本発明の本体部を構成するものである。
【００３０】
第１本体部２０は、中強緊締部５０の緊締力よりも強い緊締力を有している。従って、第１本体部２０は、中強緊締部５０における着圧よりも強い着圧を着用者に付与することができる。第１本体部２０は、上側第１本体部２０ａと、前上側第１本体部２０ｂと、下側第１本体部２０ｃと、前下側第１本体部２０ｄとを有している。
【００３１】
上側第１本体部２０ａは、臀部中央の上方に配置され、ベルト部１０の下方に設けられてなる部分である。前上側第１本体部２０ｂは、上側第１本体部２０ａの両側から前方側に延伸する部分であって、ベルト部１０の下方に設けられる部分である。このように前上側第１本体部２０ｂが形成されているので、第１本体部２０は、ベルト部１０の下端に沿って前面まで延伸してなるように構成されている。
【００３２】
下側第１本体部２０ｃは、臀部中央の下方に配置され、臀部下方に沿うように設けられてなる部分である。前下側第１本体部２０ｄは、下側第１本体部２０ｃの両側から前方側に延伸する部分であり、第２本体部３０の側方第２本体部３０ｂの下方に沿って下腹部近傍まで設けられている。
【００３３】
第２本体部３０は、弱緊締部４０の緊締力と略同等の緊締力を有している。従って、第２本体部３０は、弱緊締部４０における着圧と同等の着圧を着用者に付与することができる。第２本体部３０は、中央第２本体部３０ａと、側方第２本体部３０ｂとを有している。
【００３４】
中央第２本体部３０ａは、臀部略中央部分を覆う部分である。側方第２本体部３０ｂは、腰部側部を覆う部分である。側方第２本体部３０ｂは、ベルト部１０の下端に沿って設けられている。
【００３５】
中央第２本体部３０ａと側方第２本体部３０ｂとの間には、上側第１本体部２０ａの一部が延伸し、その延伸した部分は下側第１本体部２０ｃに繋がっている。従って、上側第１本体部２０ａの一部は、中央第２本体部３０ａと側方第２本体部３０ｂとの間に配置されているので、中央第２本体部３０ａと側方第２本体部３０ｂとの間に第１本体部２０の一部が配置されていることになる。
【００３６】
また、中央第２本体部３０ａは、上側第１本体部２０ａと下側第１本体部２０ｃとによって囲繞されている。従って、第１本体部２０が第２本体部３０を囲繞するように配置されている。
【００３７】
弱緊締部４０は、ベルト部１０の緊締力と略同等の緊締力を有する部分である。従って、弱緊締部４０は、ベルト部１０における着圧と同等の着圧を着用者に付与することができる。弱緊締部４０は、第１弱緊締部４０ａと、第２弱緊締部４０ｂとを有している。
【００３８】
第１弱緊締部４０ａは、脚部の大腿部前面に対応する位置に配置される部分である。第２弱緊締部４０ｂは、脚部の脛部前面に対応する位置に配置される部分である。
【００３９】
中強緊締部５０は、ベルト部１０の緊締力よりも強い緊締力を有する部分である。従って、中強緊締部５０は、ベルト部１０における着圧よりも大きな着圧を着用者に付与することができる。中強緊締部５０は、第１中強緊締部５０ａと、第２中強緊締部５０ｂとを有している。
【００４０】
第１中強緊締部５０ａは、脚部の大腿部後面に対応する位置に配置される部分である。第２中強緊締部５０ｂは、脚部の脛部後面に対応する位置に配置される部分である。
【００４１】
従って、第１中強緊締部５０ａ及び第２中強緊締部５０ｂを有する中強緊締部５０と、第１弱緊締部４０ａ及び第２弱緊締部４０ｂを有する弱緊締部４０とによって、少なくとも着用者の脚部の一部を覆うように構成される。また、第１中強緊締部５０ａ及び第２中強緊締部５０ｂを有する中強緊締部５０は脚部の後面側に配置される一方で、第１弱緊締部４０ａ及び第２弱緊締部４０ｂを有する弱緊締部４０は脚部の前面側に配置される。
【００４２】
また本実施形態では、側方第２本体部３０ｂと第１弱緊締部４０ａとの間に、第１本体部２０である前下側第１本体部２０ｄが延伸している。
【００４３】
膝緊締部６０は、着用者の膝部を囲繞するように構成されている。膝緊締部６０は、第１膝緊締部６０ａと、第２膝緊締部６０ｂとを有している。
【００４４】
第１膝緊締部６０ａは、中強緊締部５０の緊締力よりも強い緊締力を有する部分である。第２膝緊締部６０ｂは、弱緊締部の緊締力と略同等の緊締力を有する部分である。第１膝緊締部６０ａは、第１弱緊締部４０ａと第２弱緊締部４０ｂとの間に配置される一方で、第２膝緊締部６０ｂは、第１中強緊締部５０ａと第２中強緊締部５０ｂとの間に配置されている。第１膝緊締部６０ａは、膝の前面側においてＸ字状となるように設けられている。
【００４５】
上述したように構成された股付き衣類Ｔは、着用して激しい運動をした際に、着用者の筋肉の横ブレを抑制し、着用者の筋肉を縦ブレさせることで疲労感を低減し怪我を予防できるものである。
【００４６】
本実施形態の股付き衣類Ｔを着用した際の効果について、図５を参照しながら説明する。図５は、股付き衣類Ｔの着用効果を実証するために行った実験結果を示す表であって、被験者が股付き衣類Ｔを着用した場合と着用しなかった場合とで、垂直飛び、反復横飛び、１５００ｍ走においてどのような差が生じたのかを示す表である。
【００４７】
垂直飛びの結果について考察する。被験者Ａは、股付き衣類Ｔを履かない状態（図中では「タイツ無」と表記する。以下同じ。）では６１ｃｍであり、股付き衣類Ｔを履いた状態（図中では「タイツ有」と表記する。以下同じ。）では６３ｃｍであって、その差は＋２ｃｍあり、股付き衣類Ｔを履いた効果が現れている。被験者Ｂは、股付き衣類Ｔを履かない状態では６６ｃｍであり、股付き衣類Ｔを履いた状態では６６ｃｍであって、その差は０ｃｍあり、股付き衣類Ｔを履いた効果が現れているとはいえない結果となった。被験者Ｃは、股付き衣類Ｔを履かない状態では６０ｃｍであり、股付き衣類Ｔを履いた状態では６１ｃｍであって、その差は＋１ｃｍあり、股付き衣類Ｔを履いた効果が現れている。被験者Ｄは、股付き衣類Ｔを履かない状態では６７ｃｍであり、股付き衣類Ｔを履いた状態では６８ｃｍであって、その差は＋１ｃｍあり、股付き衣類Ｔを履いた効果が現れている。以上の結果から、股付き衣類Ｔを履くと、垂直飛びの記録向上に効果があるものといえる。
【００４８】
反復横飛びの結果について考察する。被験者Ａは、股付き衣類Ｔを履かない状態（図中では「タイツ無」と表記する。以下同じ。）では６３回であり、股付き衣類Ｔを履いた状態（図中では「タイツ有」と表記する。以下同じ。）では６４回であって、その差は＋１回であり、股付き衣類Ｔを履いた効果が現れている。被験者Ｂは、股付き衣類Ｔを履かない状態では６８回であり、股付き衣類Ｔを履いた状態では６９回であって、その差は＋１回であり、股付き衣類Ｔを履いた効果が現れている。被験者Ｃは、股付き衣類Ｔを履かない状態では６２回であり、股付き衣類Ｔを履いた状態では６４回であって、その差は＋２回であり、股付き衣類Ｔを履いた効果が現れている。被験者Ｄは、股付き衣類Ｔを履かない状態では６７回であり、股付き衣類Ｔを履いた状態では６９回であって、その差は＋２回であり、股付き衣類Ｔを履いた効果が現れている。以上の結果から、股付き衣類Ｔを履くと、反復横飛びの記録向上に効果があるものといえる。
【００４９】
１５００ｍ走の結果について考察する。被験者Ａは、股付き衣類Ｔを履かない状態（図中では「タイツ無」と表記する。以下同じ。）では５分５０秒であり、股付き衣類Ｔを履いた状態（図中では「タイツ有」と表記する。以下同じ。）では５分４５秒であって、その差は５秒のタイム向上であり、股付き衣類Ｔを履いた効果が現れている。被験者Ｂは、股付き衣類Ｔを履かない状態では６分１０秒であり、股付き衣類Ｔを履いた状態では６分００秒であって、その差は１０秒のタイム向上であり、股付き衣類Ｔを履いた効果が現れている。被験者Ｃは、股付き衣類Ｔを履かない状態では６分３５秒であり、股付き衣類Ｔを履いた状態では６分３２秒であって、その差は３秒のタイム向上であり、股付き衣類Ｔを履いた効果が現れている。被験者Ｄは、股付き衣類Ｔを履かない状態では６分５０秒であり、股付き衣類Ｔを履いた状態では６分４８秒であって、その差は２秒のタイム向上であり、股付き衣類Ｔを履いた効果が現れている。以上の結果から、股付き衣類Ｔを履くと、１５００ｍ走の記録向上に効果があるものといえる。
【００５０】
本実施形態の股付き衣類Ｔは、着用者の前面（腹側）と背面（背中側）とで着圧に差を設けたことを一つの特徴としている。そこで、前後を逆に着用した際の効果について、図６を参照しながら説明する。図６は、股付き衣類Ｔの着用効果を実証するために行った実験結果を示す表であって、被験者が股付き衣類Ｔを通常状態で着用した場合と前後の逆に着用した場合とで、垂直飛び、反復横飛び、１５００ｍ走においてどのような差が生じたのかを示す表である。
【００５１】
垂直飛びの結果について考察する。被験者Ａは、股付き衣類Ｔを正常に履いた状態（図中では「正」と表記する。以下同じ。）では６３ｃｍであり、股付き衣類Ｔを前後逆に履いた状態（図中では「逆」と表記する。以下同じ。）では６１ｃｍであって、その差は＋２ｃｍあり、股付き衣類Ｔを正常に履いた効果が現れている。被験者Ｂは、股付き衣類Ｔを正常に履いた状態では６６ｃｍであり、股付き衣類Ｔを前後逆に履いた状態では６２ｃｍであって、その差は＋４ｃｍあり、股付き衣類Ｔを正常に履いた効果が現れている。被験者Ｃは、股付き衣類Ｔを正常に履いた状態では６１ｃｍであり、股付き衣類Ｔを前後逆に履いた状態では５８ｃｍであって、その差は＋３ｃｍあり、股付き衣類Ｔを正常に履いた効果が現れている。被験者Ｄは、股付き衣類Ｔを正常に履いた状態では６８ｃｍであり、股付き衣類Ｔを前後逆に履いた状態では６１ｃｍであって、その差は＋７ｃｍあり、股付き衣類Ｔを正常に履いた効果が現れている。以上の結果から、股付き衣類Ｔを正常に履くと、垂直飛びの記録向上に効果があるものといえる。
【００５２】
反復横飛びの結果について考察する。被験者Ａは、股付き衣類Ｔを正常に履いた状態（図中では「正」と表記する。以下同じ。）では６４回であり、股付き衣類Ｔを前後逆に履いた状態（図中では「逆」と表記する。以下同じ。）では６４回であって、その差は０回であり、股付き衣類Ｔを正常に履いた効果が現れているとは必ずしもいえない結果となった。尚、この日の被験者Ｂは怪我を負っており、そのことが結果に影響を与えたものと思われる。被験者Ｂは、股付き衣類Ｔを正常に履いた状態では６９回であり、股付き衣類Ｔを前後逆に履いた状態では６５回であって、その差は＋４回であり、股付き衣類Ｔを正常に履いた効果が現れている。被験者Ｃは、股付き衣類Ｔを正常に履いた状態では６４回であり、股付き衣類Ｔを前後逆に履いた状態では５８回であって、その差は＋６回であり、股付き衣類Ｔを正常に履いた効果が現れている。被験者Ｄは、股付き衣類Ｔを正常に履いた状態では６９回であり、股付き衣類Ｔを前後逆に履いた状態では６８回であって、その差は＋１回であり、股付き衣類Ｔを正常に履いた効果が現れている。以上の結果から、股付き衣類Ｔを正常に履くと、反復横飛びの記録向上に効果があるものといえる。
【００５３】
１５００ｍ走の結果について考察する。被験者Ａは、股付き衣類Ｔを正常に履いた状態（図中では「正」と表記する。以下同じ。）では５分４５秒であり、股付き衣類Ｔを前後逆に履いた状態（図中では「逆」と表記する。以下同じ。）では５分５５秒であって、その差は１０秒のタイム向上であり、股付き衣類Ｔを履いた効果が現れている。被験者Ｂは、股付き衣類Ｔを正常に履いた状態では６分００秒であり、股付き衣類Ｔを前後逆に履いた状態では５分５５秒であって、その差は５秒のタイム降下であり、股付き衣類Ｔを履いた効果が現れているとはいえない結果となった。尚、この日の被験者Ｂは怪我を負っており、そのことが結果に影響を与えたものと思われる。被験者Ｃは、股付き衣類Ｔを正常に履いた状態では６分３２秒であり、股付き衣類Ｔを前後逆に履いた状態では６分３８秒であって、その差は６秒のタイム向上であり、股付き衣類Ｔを履いた効果が現れている。被験者Ｄは、股付き衣類Ｔを正常に履いた状態では６分４８秒であり、股付き衣類Ｔを前後逆に履いた状態では６分４８秒であって、その差はなく、股付き衣類Ｔを履いた効果が現れているとはいえない結果となった。以上の結果から、股付き衣類Ｔを履くと、１５００ｍ走の記録向上に効果があるものといえる。
【００５４】
続いて、本実施形態の股付き衣類Ｔを着用した際の効果について、図７，８，９を参照しながら説明する。図７は、股付き衣類Ｔの着用効果を実証するために行った実験結果を示す表であって、被験者が股付き衣類Ｔを着用し所定の運動を行った場合の乳酸値の推移を示す表である。図８は、股付き衣類Ｔの着用効果を実証するために行った実験結果を示す表であって、被験者が股付き衣類Ｔを着用せずに所定の運動を行った場合の乳酸値の推移を示す表である。図９は、図７及び図８に示した結果をグラフにまとめたものである。
【００５５】
この効果測定では、測定日を９月６日、９月７日、９月１９日、９月２０日とし、被験者ＮＴ，ＤＳ，ＫＫ，ＫＩの４名それぞれが、異なる日に股付き衣類Ｔを着用した場合と着用しない場合とで所定の運動を行い、乳酸値を測定したものである。所定の運動とは、３分安静後、トレッドミル（室内ランニング器具）を用いて走るものである。３分ごとに１．２ｋｍ／ｈずつ速度を上げて運動強度を強め、３分ごとに運動中の被験者ＮＴ，ＤＳ，ＫＫ，ＫＩから乳酸値測定キットにより血液を採取して乳酸値（ｍｍｏｌ／Ｌ）を測定している。
【００５６】
図７及び図８によれば、被験者ＮＴ，ＤＳ，ＫＫ，ＫＩ全員が、股付き衣類Ｔを着用して運動した場合の乳酸値が低く、股付き衣類Ｔを着用せずに運動した場合の乳酸値が高くなっている。
【００５７】
図９は、図７及び図８に示した結果の平均値をグラフ化したものである。股付き衣類Ｔを着用した場合の乳酸値（平均値）と、股付き衣類Ｔを着用しなかった場合の乳酸値（平均値）との差を見ると、運動開始後６分、１２分の場合に差が顕著にでている。運動開始後６分の時点では、股付き衣類Ｔを着用しなかった場合の乳酸値（平均値）が２．６ｍｍｏｌ／ｈであるのに対し、股付き衣類Ｔを着用した場合の乳酸値（平均値）が２．０ｍｍｏｌ／ｈである。また、運動開始後１２分の時点では、股付き衣類Ｔを着用しなかった場合の乳酸値（平均値）が４．０ｍｍｏｌ／ｈであるのに対し、股付き衣類Ｔを着用した場合の乳酸値（平均値）が３．５ｍｍｏｌ／ｈである。
【００５８】
逆に、股付き衣類Ｔを着用した場合の乳酸値（平均値）と、股付き衣類Ｔを着用しなかった場合の乳酸値（平均値）との差が最も開かなかったのは、運動開始後１８分の時点である。股付き衣類Ｔを着用しなかった場合の乳酸値（平均値）が６．９ｍｍｏｌ／ｈであるのに対し、股付き衣類Ｔを着用した場合の乳酸値（平均値）が６．６ｍｍｏｌ／ｈである。しかしながら、この場合であっても、股付き衣類Ｔを着用した方が乳酸値（平均値）は低い値となっている。
【００５９】
従って、股付き衣類Ｔを着用した場合の乳酸値（平均値）と、股付き衣類Ｔを着用しなかった場合の乳酸値（平均値）とを見ると、股付き衣類Ｔを着用した方が乳酸値（平均値）の値が低くなり、股付き衣類Ｔが着用者の疲労軽減や疲労回復に貢献しているものということができる。
【符号の説明】
【００６０】
Ｔ：股付き衣類
１０：ベルト部
２０：第１本体部
２０ａ：上側第１本体部
２０ｂ：前上側第１本体部
２０ｃ：下側第１本体部
２０ｄ：前下側第１本体部
３０：第２本体部
３０ａ：中央第２本体部
３０ｂ：側方第２本体部
４０：弱緊締部
４０ａ：第１弱緊締部
４０ｂ：第２弱緊締部
５０：中強緊締部
５０ａ：第１中強緊締部
５０ｂ：第２中強緊締部
６０：膝緊締部
６０ａ：第１膝緊締部
６０ｂ：第２膝緊締部
７０：足首緊締部
【図５】
2015036457.tif 000003
【図６】
2015036457.tif 000004
【図７】
2015036457.tif 000005
【図８】
2015036457.tif 000006
【図９】
2015036457.tif 000007
【図１】
2015036457.tif 000008
【図２】
2015036457.tif 000009
【図３】
2015036457.tif 000010
【図４】
2015036457.tif 000011